(57)【要約】【課題】偏光板の薄型を図りながらも、その偏光板を確実に基板に貼り付ける。【解決手段】偏光板１６は、一軸方向に延伸して形成された偏光子フィルム１７と、偏光子フィルム１７の一方の表面側に積層されて偏光子フィルム１７を支持する支持層１８と、偏光子フィルム１７の他方の表面側に設けられた粘着層１９とを有し、偏光板貼付工程では、偏光板１６に張力を付加した状態で、偏光板１６を一対の基板１５の少なくとも一方に貼り付ける。【選択図】図１
2009109624.tif 000002
【特許請求の範囲】
【請求項１】
互いに貼り合わされた一対の基板に偏光板を貼り付ける偏光板貼付工程を具備する液晶表示装置の製造方法であって、
上記偏光板は、一軸方向に延伸して形成された偏光子フィルムと、該偏光子フィルムの一方の表面側に積層されて上記偏光子フィルムを支持する支持層と、上記偏光子フィルムの他方の表面側に設けられた粘着層とを有し、
上記偏光板貼付工程では、上記偏光板に張力を付加した状態で、該偏光板を上記一対の基板の少なくとも一方に貼り付ける
ことを特徴とする液晶表示装置の製造方法。
【請求項２】
請求項１に記載された液晶表示装置の製造方法において、
上記一対の基板は、上記液晶表示装置を構成するパネル領域を複数有する貼合せ基板母材であり、
上記偏光板貼付工程の後に行われ、隣り合う上記パネル領域同士の間において上記偏光板を除去する除去工程を有する
ことを特徴とする液晶表示装置の製造方法。
【請求項３】
請求項１に記載された液晶表示装置の製造方法において、
上記偏光板貼付工程において上記偏光板に付加される張力の方向は、上記偏光子フィルムの延伸された一軸方向である
ことを特徴とする液晶表示装置の製造方法。
【請求項４】
請求項１に記載された液晶表示装置の製造方法において、
上記偏光板貼付工程では、上記偏光板を挟み込んで支持する複数の第１ローラによって上記偏光板を引っ張り支持した状態で、上記偏光板の支持層側表面を第２ローラで押圧することにより、上記偏光板の粘着層側を上記基板に貼り付ける
ことを特徴とする液晶表示装置の製造方法。
【請求項５】
請求項４に記載された液晶表示装置の製造方法において、
上記偏光板は、上記基板に貼り付ける前の張力を付加しない状態で湾曲しており、
上記偏光板貼付工程では、上記偏光板を、湾曲して突出する方向とは反対方向に、上記第２ローラにより押圧する
ことを特徴とする液晶表示装置の製造方法。
【請求項６】
請求項１に記載された液晶表示装置の製造方法において、
上記偏光子フィルム及び上記支持層を互いに貼り合わせると共に、上記偏光子フィルムに上記粘着層を付着させることにより、上記偏光板を形成する偏光板形成工程を有し、
上記偏光板形成工程に連続して上記偏光板貼付工程を行う
ことを特徴とする液晶表示装置の製造方法。
【請求項７】
液晶層を介して互いに貼り合わされた一対の基板と、該一対の基板の少なくとも一方に積層された偏光板とを備えた液晶表示装置であって、
上記偏光板は、上記一対の基板の少なくとも一方における上記液晶層とは反対側表面に対し、粘着層、一軸方向に延伸して形成された偏光子フィルム、及び該偏光子フィルムを支持する支持層が、この順で積層して貼り付けられている
ことを特徴とする液晶表示装置。
【発明の詳細な説明】
【技術分野】
【０００１】
本発明は、液晶表示装置及びその製造方法に関するものである。
【背景技術】
【０００２】
例えば図７に示すように、液晶表示装置１００は、液晶パネル１０１と、この液晶パネル１０１に積層された偏光板１０５とを備え、電気信号を光学信号に変換するスイッチ機能を有する装置として構成されている。液晶パネル１０１は、一対の基板１０２と、その間にシール部材１０３によって封入された液晶層１０４とを備えている。そして、液晶パネル１０１は、配向した液晶分子に電圧を印加し、その配向状態を変化させることにより、位相差を変化させるようになっている。偏光板１０５は、液晶パネル１０１によって変化された位相差を光の強度に変換するように構成されている。
【０００３】
一般に、偏光板１０５は、ポリビニルアルコール（ＰＶＡ）にヨウ素を含浸させ、その後、一軸延伸することにより形成された偏光子１０６と、この偏光子１０６を挟み込むように偏光子１０６の両面に設けられた一組の支持層（例えば、トリアセチルセルロース（ＴＡＣ）等）１０７と、これらを上記各基板に貼り付ける粘着層１０８とにより構成されている。また、この偏光板１０５に光学特性の機能を付加するために、位相差フイルム（図示省略）を付加する場合もある。この場合には、偏光子１０６の背面側（液晶パネル１０１側）に位相差フイルムを接着して（又は粘着して）貼り付けられる。
【０００４】
ところで、近年、携帯電話等のモバイル機器等において、液晶表示装置の薄型化への要望が高まっており、偏光板についても薄型化の取り組みが行われている。
【０００５】
例えば、従来２枚のフィルムによって２つの機能を発揮させていたものを、１枚のフィルムによって２つの機能を発揮させることにより、装置全体の薄型化を図ることが知られている（例えば、特許文献１等参照）。
【０００６】
すなわち、ＴＶ用の液晶表示装置に使用されている２軸の位相差板が貼り合わされた偏光板において、偏光子であるＰＶＡフイルムの表面側（使用者側）には、ＴＡＣフイルムの支持層を積層する一方、裏面側（液晶パネル側）の支持層は位相差板の機能を統合して１枚とし、これらの支持層によってＰＶＡが挟み込まれている。したがって、この特許文献１の液晶表示装置では、位相差板の厚み分だけ薄型化が図られている。また、特許文献２には、上記特許文献１の位相差板に代えて、輝度向上フイルムを適用した例が開示されている。
【０００７】
ここで、偏光子はＰＶＡフィルムにヨウ素を含浸して一軸方向に延伸処理されているため、単に１つの支持層によって偏光子の片面側のみを支持するようにすると、ＰＶＡの収縮により偏光板の全体がカールして反ってしまうという問題がある。そこで、上述のように、２つの支持層によって偏光子を挟み込むことが必要であった。
【０００８】
これに対し、特許文献３では、ＰＶＡフィルムの代わりに２色性色素を適用することにより、支持層を１つにしながらも上記偏光板のカールを抑えようとしている。ところが、特許文献３に開示されているＰＶＡの２色性比を実現することは難しく、実際には、この方法を液晶表示装置の偏光板に適用することは困難である。
【０００９】
また、偏光板の貼り合わせ工程では、１枚の液晶パネル毎に１枚の偏光板を貼り付けることが一般的である。この偏光板の大きさは、液晶パネルの表示領域を覆うような大きさである。この貼り付け工程において、偏光板は、一旦、吸着装置の吸着板に真空吸着され、液晶パネルの貼り付け位置に精度よく位置合わせした後に貼り合わせられる。その後、端辺側から、弾性ローラーによって順次押圧することにより、液晶パネルに上記偏光板を貼り付けている。
【００１０】
しかし、このように液晶パネル毎に貼り付ける方法では、工程数が増大し、特に、モバイル機器に適用される中小型の液晶パネルにおいて問題が顕著となる。すなわち、複数の機種毎に異なる工程が必要になり、各機種に応じた治具を選定する必要があるために、加工費がさらに増大すると共に、機種毎に偏光板の在庫を抱えなければならないという問題もある。
【００１１】
これに対して、特許文献４には、複数の液晶パネルを含む貼合せ基板母材（マザーガラス基板）に、大判の偏光板を一括して貼り付けた後に、各液晶パネルに分断する分断領域において、不要な偏光板を刃物で切削除去することが開示されている。
【００１２】
しかし、いずれにしろ、従来の偏光板貼り付け工程では、偏光板のマザーロールから、一旦、偏光板を液晶パネル又は分割前の貼合せ基板母材の大きさに切り出した後に、液晶パネルに貼り付けることになるため、その偏光板のカール量（そり量）が大きければ、その取り扱い性及び貼り付け性に問題があり、実用的ではなかった。
【００１３】
また、特許文献５には、液晶が滴下注入された分割前の貼合せ基板母材の表面に、複数の光学フィルムを下層側から順に、個別に貼り合わせた後、各表示パネル毎に切り出すことが開示されている。
【特許文献１】特開平２−２４７６０２号公報
【特許文献２】特開２００２−２２９５８号公報
【特許文献３】特開平９−１９７１２５号公報
【特許文献４】ＷＯ２００３／０４００４９号
【特許文献５】特開２００６−１８４８０９号公報
【発明の開示】
【発明が解決しようとする課題】
【００１４】
しかしながら、上記特許文献５の方法では、フィルムの積層体がカールする問題を回避できるものの、複数の光学フィルムをそれぞれ順に貼り付けることが必要であるために、貼り合わせ工程に要する時間が長くなってしまう。
【００１５】
本発明は、斯かる諸点に鑑みてなされたものであり、その目的とするところは、偏光板の薄型を図りながらも、その偏光板を確実に基板に貼り付けようとすることにある。
【課題を解決するための手段】
【００１６】
上記の目的を達成するために、本発明に係る液晶表示装置の製造方法は、互いに貼り合わされた一対の基板に偏光板を貼り付ける偏光板貼付工程を具備する液晶表示装置の製造方法であって、上記偏光板は、一軸方向に延伸して形成された偏光子フィルムと、該偏光子フィルムの一方の表面側に積層されて上記偏光子フィルムを支持する支持層と、上記偏光子フィルムの他方の表面側に設けられた粘着層とを有し、上記偏光板貼付工程では、上記偏光板に張力を付加した状態で、該偏光板を上記一対の基板の少なくとも一方に貼り付ける。
【００１７】
上記一対の基板は、上記液晶表示装置を構成するパネル領域を複数有する貼合せ基板母材であり、上記偏光板貼付工程の後に行われ、隣り合う上記パネル領域同士の間において上記偏光板を除去する除去工程を有していてもよい。
【００１８】
上記偏光板貼付工程において上記偏光板に付加される張力の方向は、上記偏光子フィルムの延伸された一軸方向であることが好ましい。
【００１９】
上記偏光板貼付工程では、上記偏光板を挟み込んで支持する複数の第１ローラによって上記偏光板を引っ張り支持した状態で、上記偏光板の支持層側表面を第２ローラで押圧することにより、上記偏光板の粘着層側を上記基板に貼り付けるようにしてもよい。
【００２０】
上記偏光板は、上記基板に貼り付ける前の張力を付加しない状態で湾曲しており、上記偏光板貼付工程では、上記偏光板を、湾曲して突出する方向とは反対方向に、上記第２ローラにより押圧することが好ましい。
【００２１】
上記偏光子フィルム及び上記支持層を互いに貼り合わせると共に、上記偏光子フィルムに上記粘着層を付着させることにより、上記偏光板を形成する偏光板形成工程を有し、上記偏光板形成工程に連続して上記偏光板貼付工程を行うことが好ましい。
【００２２】
また、本発明に係る液晶表示装置は、液晶層を介して互いに貼り合わされた一対の基板と、該一対の基板の少なくとも一方に積層された偏光板とを備えた液晶表示装置であって、上記偏光板は、上記一対の基板の少なくとも一方における上記液晶層とは反対側表面に対し、粘着層、一軸方向に延伸して形成された偏光子フィルム、及び該偏光子フィルムを支持する支持層が、この順で積層して貼り付けられている。
【００２３】
−作用−
次に、本発明の作用について説明する。
【００２４】
上記液晶表示装置は、偏光板の偏光子フィルムが、一方の表面において支持層により支持されると共に、他方の表面において粘着層を介して基板によって支持される。したがって、支持層を１つに減じることができるため、偏光板の薄型化が図られる。その結果、液晶表示装置の全体としても薄型化が図られることとなる。
【００２５】
上記液晶表示装置を製造する場合には、一対の基板を互いに貼り合わせた後に、偏光板貼付工程を行う。この偏光板貼付工程では、偏光板に張力を付加した状態で、この偏光板を一対の基板の少なくとも一方に貼り付ける。したがって、１つの支持層によって偏光子フィルムの一方の表面だけが支持された偏光板がカールして反っていても、偏光板は、張力が付加されることによって反りが矯正され、適切に基板へ貼り付けられる。
【００２６】
一対の基板がパネル領域を複数有する貼合せ基板母材である場合には、上記偏光板貼付工程において大判の偏光板が貼合せ基板母材に一括して貼り付けられた後に、除去工程において、隣り合うパネル領域同士の間において偏光板が除去される。その後、偏光板が除去された領域において、貼合せ基板母材を分断することが可能になる。
【００２７】
偏光板貼付工程では、偏光板に付加する張力の方向を、偏光子フィルムの延伸された一軸方向にすることが望ましい。そのことにより、偏光板の反りが好適に矯正されることとなる。
【００２８】
また、偏光板貼付工程において上記第１ローラ及び第２ローラを用いる場合には、まず、複数の第１ローラによって偏光板を挟み込んで引っ張り支持する。この状態で、偏光板の支持層側表面を第２ローラによって押圧する。そのことにより、偏光板の粘着層側を基板に貼り付ける。このようにすれば、第１及び第２ローラを転動させることにより、偏光板を連続して基板に貼り付けることが可能になる。
【００２９】
さらにこのとき、偏光板を、湾曲して突出する方向とは反対方向に、第２ローラによって押圧すれば、好適に偏光板を基板に貼り付けることが可能になる。
【００３０】
また、偏光板を形成する偏光板形成工程に連続して上記偏光板貼付工程を行うようにすれば、偏光板が形成された直後では偏光板に反りが殆ど生じていないため、この反りが生じていない偏光板を、さらに容易かつ正確に基板へ貼り付けることが可能になる。
【発明の効果】
【００３１】
本発明によれば、偏光板を、一軸方向に延伸して形成された偏光子フィルムと、１つの支持層と、粘着層とにより構成し、張力を付加した状態で基板に貼り付けるようにしたので、支持層の数を低減して偏光板及び液晶表示装置の薄型を図りながらも、偏光板を確実に基板に貼り付けることができる。
【発明を実施するための最良の形態】
【００３２】
以下、本発明の実施形態を図面に基づいて詳細に説明する。尚、本発明は、以下の実施形態に限定されるものではない。
【００３３】
《発明の実施形態１》
図１〜図４は、本発明の実施形態１を示している。
【００３４】
図１は、本実施形態１の液晶表示装置１の概略構造を示す断面図である。図２は、本実施形態１における偏光板の貼付工程を示す説明図である。図３は、偏光板ロールの外観を示す斜視図である。図４は、セパレーションが付着した偏光板の概略構造を示す断面図である。
【００３５】
液晶表示装置１は、図１に示すように、液晶層１０を介して互いに貼り合わされた一対の基板１５と、該一対の基板１５の少なくとも一方に積層された偏光板１６とを備えている。
【００３６】
また、基板１５は例えばガラス基板により構成され、基板１５及び偏光板１６によって、第１基板であるＴＦＴ基板１１と、第２基板である対向基板１２とがそれぞれ形成されている。すなわち、液晶表示装置１は、ＴＦＴ基板１１と、ＴＦＴ基板１１に対向して配置された対向基板１２と、対向基板１２及びＴＦＴ基板１１の間に設けられた液晶層１０とを備えている。
【００３７】
液晶層１０は、ＴＦＴ基板１１と対向基板１２との間で、環状のシール部材２０によって封止されている。対向基板１２には、基板１５の液晶層１０側表面に、図示省略のカラーフィルタ、共通電極及びブラックマトリクス等が形成されると共に、これらを覆うように配向膜（図示省略）が形成されている。
【００３８】
一方、ＴＦＴ基板１１は、いわゆるアクティブマトリクス基板に構成されている。ＴＦＴ基板１１には、図示を省略するが、表示領域を構成する複数の画素がマトリクス状に配置されている。表示領域の周囲には非表示領域である額縁領域が設けられている。
【００３９】
各画素には、ＴＦＴ基板１１の液晶層１０側表面において、画素電極や、これに接続されたスイッチング素子であるＴＦＴ（薄膜トランジスタ）が配置されている。ＴＦＴ基板１１には、これらＴＦＴに接続されたゲート配線及びソース配線が格子状に形成されている。そうして、これらＴＦＴ、画素電極、ゲート配線及びソース配線等は、配向膜によって覆われている。
【００４０】
偏光板１６は、図１に示すように、ＴＦＴ基板１１及び対向基板１２の外側（つまり液晶層１０とは反対側）に設けられており、一軸方向に延伸して形成された偏光子フィルム１７と、この偏光子フィルム１７の一方の表面側に積層されて偏光子フィルム１７を支持する支持層１８と、偏光子フィルム１７の他方の表面側に設けられた粘着層１９とを有している。
【００４１】
偏光子フィルム１７は、ヨウ素を含浸させたＰＶＡフイルムを一軸方向に延伸することによって形成されている。支持層１８は、ＴＡＣフィルムにより構成され、水系接着剤によって偏光子フィルム１７に貼り合わされている。
【００４２】
尚、本実施形態１では、ＴＦＴ基板１１及び対向基板１２の双方に偏光板１６を設けた例について説明しているが、これに限らず、ＴＦＴ基板１１及び対向基板１２の一方に偏光板１６を設けるようにしてもよい。
【００４３】
したがって、本実施形態１における液晶表示装置１の偏光板１６は、一対の基板１５の少なくとも一方における液晶層１０とは反対側表面に対し、粘着層１９、一軸方向に延伸して形成された偏光子フィルム１７、及び偏光子フィルム１７を支持する支持層１８が、この順で積層して貼り付けられている。そのことにより、偏光板１６は、支持層１８を１つのみ有する片側支持層偏光板に構成されている。
【００４４】
上記偏光板１６の厚みは、支持層１８であるＴＡＣフイルムが４０μｍ厚であり、偏光子フィルム１７であるＰＶＡフイルムが２５μｍ厚であり、粘着層１９が２０μｍ厚であることから、総厚が８５μｍとなった。これは、支持層１８を２つ有する従来の偏光板の厚み（約１３０μｍ）に比べて、格段に薄くなっている。
【００４５】
−製造方法−
次に、上記液晶表示装置１の製造方法について説明する。
【００４６】
本実施形態１では、液晶表示装置１を構成するパネル領域を複数有する貼合せ基板母材（一対の基板）３５を、大判の偏光板１６を一括して貼り付けた後に分断することによって、液晶表示装置１を製造する。
【００４７】
すなわち、まず、ＴＦＴ基板１１となる領域がマトリクス状に複数配置された第１基板母材（図示省略）を形成すると共に、対向基板１２となる領域がマトリクス状に複数配置された第２基板母材（図示省略）を形成する。すなわち、大判のガラス基板に対し、電極や配線を所定の形状にパターン形成すると共に、これらを覆う配向膜を形成する。
【００４８】
その後、基板貼り合わせ工程を行って、上記第１基板母材と第２基板母材とを貼り合わせる。このとき、第１基板母材及び第２基板母材の一方に、シール部材２０をパネル領域毎に環状にそれぞれ形成する。一方、第１基板母材及び第２基板母材の他方に、各シール部材２０毎に液晶を滴下して供給する。その後、第１基板母材及び第２基板母材を互いに貼り合わせると共に、シール部材を硬化させることにより、液晶層１０をシール部材２０によって封止して大判の貼合せ基板母材３５を形成する。
【００４９】
次に、図２に示すように、互いに貼り合わされた一対の基板である貼合せ基板母材３５に偏光板１６を貼り付ける偏光板貼付工程を行う。偏光板貼付工程では、偏光板ロール５から引き出された偏光板１６を、分断前の上記貼合せ基板母材３５に貼り付ける。
【００５０】
偏光板ロール５は、図４に示すセパレーション付き偏光板２６が、図３に示すようにロール上に巻き付けられて構成されている。セパレーション付き偏光板２６は、支持層１８と偏光子フィルム１７とを互いに貼り合わせると共に、偏光子フィルム１７に粘着層１９を介してセパレーションフィルム２３を貼り合わせることによって形成する。
【００５１】
セパレーション付き偏光板２６は、偏光子フィルム１７の延伸方向が巻き付き方向（つまり偏光板ロール５の周方向）となるように、偏光板ロール５に巻き付けられている。また、支持層１８には、偏光板１６の表面として必要な表面処理が予め施されている。
【００５２】
そして、偏光板貼付工程では、偏光板１６に張力を付加した状態で、偏光板１６を一対の基板の少なくとも一方（つまり、貼合せ基板母材３５を構成する第１基板母材又は第２基板母材）に貼り付ける。
【００５３】
偏光板貼付工程では、偏光板１６を挟み込んで支持する複数の第１ローラ３１によって偏光板１６を引っ張り支持した状態で、偏光板１６の支持層１８側表面を第２ローラ３２で押圧することにより、偏光板１６の粘着層１９側を基板１５に貼り付ける。
【００５４】
本実施形態１では、２つの第１ローラ３１が所定の間隔をおいて配置されている。偏光板ロール５側に配置された第１ローラ３１の近傍には、補助ローラ３７が配置され、その補助ローラ３７によって、偏光板ロール５側の第１ローラ３１を通過したセパレーション付き偏光板２６から、セパレーションフィルム２３を引き剥がして巻き取るようにする。したがって、２つの第１ローラ３１同士の間には、セパレーションフィルム２３が剥がされた偏光板１６が保持されることとなる。
【００５５】
そうして、上記偏光板１６の背面側（粘着層１９側）近傍に貼合せ基板母材３５を配置させた状態で、表面部分が弾性を有する第２ローラ３２を、その貼合せ基板母材３５上における偏光板１６の支持層１８表面上で押圧しながら転動させる。そのことにより、偏光板１６に張力が付加された状態で、当該偏光板１６が貼合せ基板母材３５に貼り付けられることとなる。さらに、この偏光板１６に付加される張力の方向は、偏光子フィルム１７の延伸された一軸方向となる。
【００５６】
その後、貼合せ基板母材３５と略同じ大きさに偏光板１６を打ち抜くことにより、偏光板１６の貼合せ基板母材３５への貼り付けを完了した。
【００５７】
次に、上記偏光板貼付工程の後に除去工程を行う。除去工程では、貼合せ基板母材３５の隣り合うパネル領域同士の間（つまり、各液晶表示装置１毎に分断するための帯状の領域）において、偏光板１６を刃物等により除去する。その結果、各パネル領域の必要な部分にのみ、偏光板１６が残されることとなる。
【００５８】
続いて、ガラス分断ホイール（図示省略）を用いて、上記偏光板１６が部分的に除去された各パネル領域間の分断ラインに沿って貼合せ基板母材３５を分断する。そうして、貼合せ基板母材３５から、偏光板１６が貼り付けられた複数のパネルを製造し、次工程の実装ラインに送られた後に、液晶表示装置１が製造されることとなる。
【００５９】
−実施形態１の効果−
したがって、この実施形態１によると、偏光板１６を、一軸方向に延伸して形成された偏光子フィルム１７と、１つの支持層１８と、粘着層１９とにより構成し、張力を付加した状態で基板１５に貼り付けるようにしたので、支持層１８の数を低減して偏光板１６及び液晶表示装置１の薄型を図りながらも、偏光板１６を確実に基板１５に貼り付けることができる。
【００６０】
すなわち、液晶表示装置１は、偏光板１６の偏光子フィルム１７が、一方の表面において支持層１８により支持されると共に、他方の表面において粘着層１９を介して基板１５によって支持される。したがって、支持層１８を１つに減じることができるため、偏光板１６の薄型化を図ることができ、液晶表示装置１の全体としても薄型化を図ることができる。
【００６１】
上記偏光板１６の厚みは８５μｍとなり、偏光子フィルム１７が支持層である２枚のＴＡＣフィルムによってを挟まれる従来の偏光板の厚み（約１３０μｍ）に比べて、格段に薄くすることができる。さらに、従来の偏光板に比べて、支持層が１枚少ないために材料コストを低減することができる。
【００６２】
さらに、１つの支持層１８によって偏光子フィルム１７の一方の表面だけが支持された偏光板１６がカールして反っていても、その偏光板１６の反りを、張力を付加して貼り付けることで矯正し、適切に基板１５に貼り付けることができる。
【００６３】
さらにまた、偏光板貼付工程では、偏光板１６に付加する張力の方向を、偏光子フィルム１７の延伸された一軸方向としたので、偏光板１６の反りを好適に矯正することができる。
【００６４】
加えて、偏光板貼付工程において、２つの第１ローラによって偏光板１６を挟み込んで引っ張り支持した状態で、偏光板１６の支持層１８側表面を第２ローラ３２により押圧し、偏光板１６の粘着層１９側を基板１５に貼り付けるようにしたので、これら第１ローラ３１及び第２ローラ３２を転動させることにより、偏光板１６を連続して基板１５に貼り付けることが可能になる。
【００６５】
ところで、基板１５に貼り付ける前の偏光板を、貼り合わせマージンを設ける程度で表示領域と略同じ大きさに切り詰めた場合には、偏光板１６に外力、つまりテンションや逆応力を付加するための外力付加部分（掴みしろ）が十分に無いないために、偏光板に張力を付加できず、偏光板を位置合わせ精度良く貼り付けることは極めて困難である。
【００６６】
これに対し、本実施形態１では、偏光板ロール５から引き出されて十分に大きい偏光板１６を基板１５に貼り付けた後に、その偏光板１６を所望の大きさに切断するようにしたので、精度良く且つ確実に偏光板１６に張力を付加して基板１５に貼り付けることができる。
【００６７】
また、偏光板１６を基板１５に適切に貼り付けるためには、本実施形態１のように、分断前の貼合せ基板母材３５よりも大きい偏光板１６とすることが望ましい。
【００６８】
このように、分断前の貼合せ基板母材３５を用いると、その貼合せ基板母材３５から製造される各液晶表示装置１の大きさが異なっていても、偏光板貼付工程において貼り付ける偏光板１６を同じサイズにすることができる。したがって、サイズの異なる液晶表示装置１毎に応じて偏光板をそれぞれ切り出す製造方法に比べて、偏光板等の在庫管理や、偏光板を切り出したり貼り付けるための治具を変更する等の煩雑な作業が省略されるために好ましい。
【００６９】
《発明の実施形態２》
図５は、本発明の実施形態２を示している。
【００７０】
図５は、本実施形態２における偏光板の貼付工程を示す説明図である。尚、以降の各実施形態では、図１〜図４と同じ部分については同じ符号を付して、その詳細な説明を省略する。
【００７１】
本実施形態２は、上記実施形態１において、第２ローラ３２による偏光板１６への張力付加の態様に偏光を加えたものである。
【００７２】
すなわち、本実施形態２の偏光板１６は、基板１５に貼り付ける前の張力を付加しない状態で例えば図５で上側に突出するように湾曲している。そして、上記偏光板貼付工程では、偏光板１６を、湾曲して突出する方向とは反対方向（つまり、図５で下側）に、第２ローラ３２によって押圧し、第２ローラ３２を基板１５上で転動させることにより、偏光板１６を基板１５に貼り付ける。
【００７３】
こうして、張力が付加された偏光板１６は、第２ローラ３２との当接部分において図５で下側に湾曲し、その反りが矯正されて貼合せ基板母材３５の基板１５に貼り付けられることとなる。
【００７４】
したがって、本実施形態２においても、支持層１８が１つである偏光板１６を張力を付加した状態で基板１５に貼り付けるようにしたので、上記実施形態１と同様の効果を得ることができる。そのことに加え、偏光板１６の反りをより効果的に低減して、精度良い貼付を行うことができる。第２ローラ３２は、精度良い貼付の観点から比較的大きい径を有することが好ましい。
【００７５】
《発明の実施形態３》
図６は、本発明の実施形態３を示している。
【００７６】
図６は、本実施形態３における偏光板の貼付工程を示す説明図である。
【００７７】
上記実施形態１では、予め形成した偏光板ロール５から偏光板１６を引き出すようにしたのに対し、本実施形態３では偏光板ロール５を形成せずに、複数のフィルムから偏光板１６を形成した直後に、基板１５に貼り付けるようにしたものである。
【００７８】
すなわち、本実施形態３では、偏光子フィルム１７及び支持層１８を互いに貼り合わせると共に、偏光子フィルム１７に粘着層１９を付着させることにより、偏光板１６を形成する偏光板形成工程を行う。そして、この偏光板形成工程に連続して、上記偏光板貼付工程を行う。
【００７９】
偏光板形成工程では、図６に示すように、乾燥炉３０の入口に設けられた入口側ローラ３４によって、ＴＡＣロール４１から支持層１８であるＴＡＣフィルム１８を連続して引き出すと共に、ＰＶＡロール４２からヨウ素が含浸されて延伸された偏光子フィルム１７であるＰＶＡフィルム１７を連続して引き出し、さらにセパレーションロール４３からセパレーションフィルム２３を連続して引き出す。
【００８０】
ＰＶＡロール４２から引き出されたＰＶＡフィルム１７には、粘着剤コート部４５によって粘着剤を塗布し、粘着層１９を形成する。
【００８１】
引き出された上記ＴＡＣフィルム１８、ＰＶＡフィルム１７及びセパレーションフィルム２３は、入口側ローラ３４によって互いに貼り合わされて、セパレーション付き偏光板２６となり、乾燥炉３０の内部で複数の第３ローラ３３に巻き掛けられて蛇行するように案内される。そうして、乾燥炉３０の内部でセパレーション付き偏光板２６が乾燥される。
【００８２】
これに連続して偏光板貼付工程を行う。上記乾燥炉３０の出口には、出口側ローラである第１ローラ３１が配置され、上記実施形態１と同様に、補助ローラ３７によって、セパレーション付き偏光板２６からセパレーションフィルム２３を引き剥がす。そうして、この出口側ローラである第１ローラ３１と、他方の第１ローラ３１とによって偏光板１６を引っ張り支持した状態で、偏光板１６の支持層１８側表面を第２ローラ３２で押圧することにより、偏光板１６の粘着層１９側を基板１５に貼り付ける。そうして、液晶表示装置１を製造する。
【００８３】
ここで、セパレーション付き偏光板２６（偏光板１６）は、上記各フィルムが互いに貼り合わされて形成されると、時間が経過するに従って発生する反りが大きくなる。これに対し、本実施形態３によると、偏光板１６を形成する偏光板形成工程に連続して偏光板貼付工程を行うようにしたので、形成された直後で反りが殆ど生じていない偏光板１６を、基板１５に貼り付けることができるため、さらに容易かつ正確に上記偏光板１６を基板１５へ貼り付けることが可能になる。
【００８４】
《その他の実施形態》
上記実施形態１では、偏光板ロール５から引き出された偏光板１６をそのまま基板１５に貼り付けるようにしたが、本発明はこれに限らず、偏光板ロール５から一旦貼合せ基板母材３５程度の大きさの偏光板１６を切り出した後に、当該偏光板１６を基板に貼り付けるようにしてもよい。このようにしても、比較的大きく切り出された偏光板１６の端部を保持して偏光板１６に張力を付加できるので、上記実施形態１と同様の効果を得ることができる。
【００８５】
また、使用される液晶表示モードにより位相差板が必要になる場合には、液晶セル内（つまり一対の基板同士の間）に位相差板を配置することが可能である。位相差板が不要な液晶表示モードとては、ＴＮ、ＥＣＢ、ＩＰＳモードを適用することができる。一方、位相差板が必要な液晶表示モードの場合には、半透過型の液晶表示装置において反射領域に円偏光板が必要であるため、それぞれの絵素部分に位相差板をインセル化する必要がある。
【００８６】
さらに、広視野角モードにおいてＴＮモードに傾斜型位相差板を組み合わせる場合や、垂直液晶モードにおいてＣ、Ａプレートを組み合わせる場合、ＦＦＳモードにおいてＺ化した位相差板を組み合わせる場合などは、液晶セル内に位相差板を形成する必要がある。
【産業上の利用可能性】
【００８７】
以上説明したように、本発明は、液晶表示装置及びその製造方法について有用であり、特に、偏光板の薄型を図りながらも、その偏光板を確実に基板に貼り付ける場合に適している。
【図面の簡単な説明】
【００８８】
【図１】図１は、本実施形態１の液晶表示装置の概略構造を示す断面図である。
【図２】図２は、本実施形態１における偏光板の貼付工程を示す説明図である。
【図３】図３は、偏光板ロールの外観を示す斜視図である。
【図４】図４は、セパレーションが付着した偏光板の概略構造を示す断面図である。
【図５】図５は、本実施形態２における偏光板の貼付工程を示す説明図である。
【図６】図６は、本実施形態３における偏光板の貼付工程を示す説明図である。
【図７】図７は、従来の液晶表示装置の概略構造を示す断面図である。
【符号の説明】
【００８９】
１      液晶表示装置
５      偏光板ロール
１０      液晶層
１１      ＴＦＴ基板
１２      対向基板
１５      基板
１６      偏光板
１７      偏光子フィルム、ＰＶＡフィルム
１８      支持層、ＴＡＣフィルム
１９      粘着層
２０      シール部材
２３      セパレーションフィルム
２６      セパレーション付き偏光板
３０      乾燥炉
３１      第１ローラ
３２      第２ローラ
３３      第３ローラ
３４      入口側ローラ
３５      貼合せ基板母材
３７      補助ローラ
４１      ＴＡＣロール
４２      ＰＶＡロール
４３      セパレーションロール
４５      粘着剤コート部
【図１】
2009109624.tif 000003
【図２】
2009109624.tif 000004
【図３】
2009109624.tif 000005
【図４】
2009109624.tif 000006
【図５】
2009109624.tif 000007
【図６】
2009109624.tif 000008
【図７】
2009109624.tif 000009